(57)【要約】  【課題】  構築費用の高騰を解消し、可能なかぎり低廉な函渠を構築できる方法を提供する。  【解決手段】  平面視矩形のボックスカルバートの複数個で函渠を形成したその入り口側と出口側の仕舞いを、側壁２２の一方が平面視矩形のボックスカルバート１０の側壁１７とほぼ同じ幅長ａで、他方がそれよりも幅狭ｂであるとともに、２隅部の角度がそれぞれ異なる平面視略ひし形のボックスカルバート１１と、４隅部の角度がそれぞれ異なる平面視略ひし形のボックスカルバート１２〜１６を連設して行うようにした。  【選択図】  図１
2006009245.tif 000002
【特許請求の範囲】
【請求項１】
平面視矩形のボックスカルバートの複数個で函渠を形成したその入り口側と出口側の仕舞いを、側壁の一方が前記平面視矩形のボックスカルバートの側壁とほぼ同じ幅長であり、他方がそれよりも幅狭であって、２隅部の角度がそれぞれ異なる平面視略ひし形のボックスカルバートと、４隅部の角度がそれぞれ異なる平面視略ひし形のボックスカルバートの複数個とを連設して行うようにしたことを特徴とするボックスカルバートによる函渠の構築方法。
【請求項２】
平面視矩形のボックスカルバートの複数個で函渠を形成したその入り口側と出口側の仕舞いを、側壁の一方が互いにほぼ同じ幅長であり、他方がそれよりも幅狭であって、２隅部の角度がそれぞれ異なる平面視略ひし形のボックスカルバートと、４隅部の角度がそれぞれ異なる平面視略ひし形のボックスカルバートの複数個を連設して行うようにしたことを特徴とするボックスカルバートによる函渠の構築方法。
【請求項３】
前記平面視略ひし形のボックスカルバートは、上部ブロックと下部ブロックとからなり、かつ、該下部ブロックは、前記上部ブロックの幅狭の側壁と同じ幅の側壁を備えた複数個の断面Ｌ型コンクリートブロックと、該断面Ｌ型コンクリートブロックの底版間を結ぶコンクリートスラブ版とで構成されることを特徴とする請求項１又は２に記載のボックスカルバートによる函渠の構築方法。
【請求項４】
前記平面視略ひし形のボックスカルバートは、上部ブロックと下部ブロックとからなり、かつ、該下部ブロックは、前記上部ブロックの幅長の側壁に対しては所定幅の側壁を有する複数個の断面Ｌ型コンクリートブロックと、前記上部ブロックの幅狭の側壁に対しては前記所定幅の側壁を有する前記複数個よりも少なくとも１個以上少ない数の断面Ｌ型コンクリートブロックと、該断面Ｌ型コンクリートブロックの底版間を結ぶコンクリートスラブ版とで構成されることを特徴とする請求項１に記載のボックスカルバートによる函渠の構築方法。
【請求項５】
前記コンクリートスラブ版に代えて場所打ちコンクリートとしたことを特徴とする請求項３又は４に記載のボックスカルバートによる函渠の構築方法。
【発明の詳細な説明】
【技術分野】
【０００１】
この発明は、ボックスカルバートによる函渠の構築方法に関するもので、とりわけ、高速道路下等の盛り土の中に形成される函渠の入り口側と出口側の仕舞いを容易にするとともに、施工コストの低廉化ができるボックスカルバートによる函渠の構築方法に係るものである。
【背景技術】
【０００２】
山裾にハイウェイ等の高速道路を盛り土をして建設する際には、交差する農道や小規模の川又は農業用水路を跨いで建設を進めなければならないことが多いが、その場合に、道や川又は水路を跨ぐ橋を構築するまでもなく、それらをボックスカルバートで全面的に改修して函渠を形成し、その函渠の中にこれらを収容するようにしている。すなわち、盛り土の中にボックスカルバートからなるトンネルが形成され、そのトンネルが道となり、川となり又は水路となるのである。
【０００３】
このような函渠の構築に用いるボックスカルバートとして、従前より平面（天板部）が長方形の平面視矩形のボックスカルバートが用いられている。しかして近時、下記特許文献１及び特許文献２では平面（天板部）がひし形の平面視ひし形の函渠補修用ボックスカルバートを提供している。この函渠補修用ボックスカルバートは、道や川又は水路の中心線に対し斜め方向で複数個が連設されるという特殊の構造を呈している。
【０００４】
このような特殊の構造を採用する理由は、大抵の道や川又は水路が高速道路に直交する方向ではなく左右いずれかに傾斜して交差するものであるから、図９及び図１０に示すように、道や川又は水路等の函渠構築ラインＢに沿って上部ブロック１ａと下部ブロック１ｂとからなる平面視ひし形の前記函渠補修用ボックスカルバート１の複数個を連設する限り、角度βの範囲内ではその函渠２の入り口側ＩＮと出口側ＯＵＴは高速道路や盛り土と平行な基準線Ａと平行するように始末でき、盛り土からコンクリートの一部が露出して美観を損ねるような仕舞いを回避できることにある。そのため、仕舞いの角度βは一種類の函渠補修用ボックスカルバート１では固定化されてしまう欠点もある。
【０００５】
さらに、下記特許文献３では、平行な左右両側壁の一方が幅長で、他方が幅狭の平面視略ひし形の函渠補修用ボックスカルバートが提供されており、これは平面視が二つの隅部を結ぶ前面辺とこれに斜辺からなる背面辺を有して形成され、前記特許文献１及び２に記載の平面視ひし形の函渠補修用ボックスカルバートで函渠２を構築した場合（図９参照）に、前記とは逆に、構築ラインＢが前記基準線Ａと直交するような場合には、函渠２の入り口側ＩＮと出口側ＯＵＴの仕舞い角度βでは盛り土からコンクリートの一部が露出して美観を損ねることとなるため、函渠２の端末を直角に修正するためのものである。
【０００６】
すなわち、従前の前記平面視矩形のボックスカルバート（図１１参照）を用いて函渠を構築した場合に、構築ラインが基準線Ａと直交するような例は稀であり、その多くは基準線Ａに対し斜めに交差する方向であるから、函渠の入り口側ＩＮと出口側ＯＵＴではボックスカルバートの一部が基準線Ａと平行にはならず、盛り土から露出してしまい、コンクリートがむき出しになる美観上の問題が生じるためである。
【０００７】
例えば、図１０及び図１１に示すように、平面視矩形のボックスカルバート３の複数個を用いた函渠２の入り口側ＩＮ又は出口側ＯＵＴでは、基準線Ａが斜めに通過することとなることが多いから、その場合は仕舞い角度αに合わせて図中仮想線Ｃで囲まれた三角形の部分を切除するか、その部位だけ現場打ちコンクリートにする等の施工をしなければならないので、入り口側ＩＮと出口側ＯＵＴの仕舞い（端末処理）が悪いというものである。
【０００８】
また、前記函渠補修用ボックスカルバートを敢えて用いるべき理由は、平面視矩形の従前のボックスカルバートでは、構築ラインＢが基準線Ａと交差するような配置で複数個が連設される故に、搬入と連設配置が不便であるため、道や川又は水路の中心線になるべく沿って搬入しかつ連設し易くするために工夫されたものである。従って、このような搬入や工場から搬送する容易性を確保するために、前記函渠補修用ボックスカルバートは、図１０及び図１２に示すように、上部ブロック１ａ，３ａと下部ブロック１ｂ，３ｂとに分割されている。
【０００９】
しかしながら、盛り土をして高速道路を建設するに際し、道や川又は水路に搬入することが不便であるとしても、平面視矩形の従前のボックスカルバートを採用することを否定されてはいない。
【特許文献１】意匠登録第１１５４７５０号
【特許文献２】意匠登録第１１５３２１１号
【特許文献３】意匠登録第１１５４７４９号
【発明の開示】
【発明が解決しようとする課題】
【００１０】
ところで上記の従来技術においては、平面視ひし形の函渠補修用ボックスカルバート１が特殊構造であって成型用型枠が複雑となってコスト高であるとともに、上部ブロック１ａと下部ブロック１ｂとからなり、しかも上下対称型のものではないために、それぞれ上部ブロック１ａと下部ブロック１ｂの型枠を共用することもできない。そのため、成形用型枠の構造が複雑化すると共に、数が多くなり、また、従前の平面視矩形のボックスカルバートを成形するための型枠を利用することもできないから、成形コストが高騰し、したがって、函渠の構築費用は高騰せざるを得ない。
【００１１】
そこで、この発明は、函渠の構築費用の高騰を解消し、可能なかぎり低廉にできるようにすることを目的としてなされたものである。
【課題を解決するための手段】
【００１２】
本発明による函渠の構築方法は、請求項１によれば、平面視矩形のボックスカルバートの複数個で函渠を形成したその入り口側と出口側の仕舞いを、側壁の一方が前記平面視矩形のボックスカルバートの側壁とほぼ同じ幅長であり、他方がそれよりも幅狭であって、２隅部の角度がそれぞれ異なる平面視略ひし形のボックスカルバートと、４隅部の角度がそれぞれ異なる平面視略ひし形のボックスカルバートの複数個とを連設して行うようにしたことを特徴としている。
【００１３】
請求項２によれば、平面視矩形のボックスカルバートの複数個で函渠を形成したその入り口側と出口側の仕舞いを、側壁の一方が互いにほぼ同じ幅長であり、他方がそれよりも幅狭であって、２隅部の角度がそれぞれ異なる平面視略ひし形のボックスカルバートと、４隅部の角度がそれぞれ異なる平面視略ひし形のボックスカルバートの複数個を連設して行うようにしたことを特徴としている。
【００１４】
請求項３によれば、前記平面視略ひし形のボックスカルバートは、上部ブロックと下部ブロックとからなり、かつ、該下部ブロックは、前記上部ブロックの幅狭の側壁と同じ幅の側壁を備えた複数個の断面Ｌ型コンクリートブロックと、該断面Ｌ型コンクリートブロックの底版間を結ぶコンクリートスラブ版とで構成されることを特徴とする。
【００１５】
請求項４によれば、前記平面視略ひし形のボックスカルバートは、上部ブロックと下部ブロックとからなり、かつ、該下部ブロックは、前記上部ブロックの幅長の側壁に対しては所定幅の側壁を有する複数個の断面Ｌ型コンクリートブロックと、前記上部ブロックの幅狭の側壁に対しては前記所定幅の側壁を有する前記複数個よりも少なくとも１個以上少ない数の断面Ｌ型コンクリートブロックと、該断面Ｌ型コンクリートブロックの底版間を結ぶコンクリートスラブ版とで構成されることを特徴としている。
【００１６】
請求項５によれば、前記コンクリートスラブ版に代えて場所打ちコンクリートとしたことを特徴としている。
【発明の効果】
【００１７】
本発明によれば、高速道路下の盛り土に覆われる函渠の構築費用を極めて低廉に抑え得るという効果が得られる。そのうえ、従来の平面視ひし形の函渠補修用コンクリートブロックではできなかった仕舞い角度の場合でも容易に対処できるようになる。
【発明を実施するための最良の形態】
【００１８】
本発明による函渠の構築方法は、従前のものと同じ構成の平面視矩形のボックスカルバートと、函渠の入り口側と出口側を整えて仕舞うための本発明にか係る平面視略ひし形のコンクリートブロックとを備えて構成される。以下に本発明をその実施例により説明する。
【実施例１】
【００１９】
図１は、平面視矩形のボックスカルバート１０と平面視略ひし形のボックスカルバート１１，１２，１３，１４，１５，１６とを用いて函渠２を構築した例を示す平面図である。ボックスカルバート１０は従前より知られている型のもので、上部ブロックと下部ブロック（図２参照）とに分割されているもの、若しくはボックス型でもよい。このボックスカルバート１０の両側壁１７，１７は互いに平行で共に同じ幅ａを持ち、かつ、平面視矩形の４隅部は直角である。
【００２０】
ボックスカルバート１１はその一方の側壁１８が前記側壁１７とほぼ同じ幅ａであり、他方の側壁１９は幅ａよりも狭い幅ｂであり、ボックスカルバート１０と隣接するために二つの直角部を結ぶ前面辺２０とこれに相対する斜めの背面辺２１を有して平面視略ひし形であり、２隅部は直角で他の２隅部は異なっている。このボックスカルバート１１は上部ブロック１１ａと下部ブロック１１ｂとに分割されている。すなわち、このボックスカルバート１１は前記特許文献３に記載された函渠補修用コンクリートブロックと同じような構成である。直角隅部を結ぶ前面辺は平面視矩形のボックスカルバート１０の背面辺と接続するためにそれと同じ長さを有するとともに、その斜辺である背面辺はボックスカルバート１２の前面辺と同じ長さである。
【００２１】
ボックスカルバート１２〜１６は、互いに平行な側壁２２，２３の一方は側壁１７，１８とほぼ同じ幅ａであり、他方は側壁１９と同じ幅ｂであり、かつ、長さをそれぞれ異にした前面辺と背面辺を有する。すなわち、平面視略ひし形のボックスカルバート１２〜１６のそれぞれの４隅部の角度は皆異なるものである。したがって、ボックスカルバート１２の前面辺はボックスカルバート１１の背面辺２１と同じであり、また、背面辺はボックスカルバート１３の前面辺と同じである、というようにそれぞれ変化させたものである。勿論これらのボックスカルバート１２〜１６はボックスカルバート１１と同様に、上部ブロックと下部ブロック（図２参照）とに分割されている。
【００２２】
ボックスカルバート１１，１２〜１６の側壁２２を幅ａとする理由は、搬送や搬入の便を考慮して、従前のボックスカルバート１０と大きく変わることがないような寸法形状とすることにある。このように、側壁２２の幅ａを固定化したため、基準線Ａと平行な端面を形成するに至るまで、すなわち前記従来の函渠補修用ボックスカルバートによる函渠と同じ角度βを得るには、ボックスカルバート１１，１２〜１６の合計６個が必要になるということである。
【００２３】
したがって、複数のボックスカルバート１０で盛り土中の大半の函渠２を形成した後、入り口側ＩＮ又は出口側ＯＵＴに近い部位になると基準線Ａに平行する端面を形成するために、換言すれば仕舞い角度βを得るために、ボックスカルバート１１を連設し、そのボックスカルバート１１にボックスカルバート１２を連設し、ボックスカルバート１２にボックスカルバート１３を、又、ボックスカルバート１３にボックスカルバート１４を、というように順次、合計６個のボックスカルバート１１〜１６を連設するのである。なお、入り口側ＩＮと出口側ＯＵＴの前記仕舞いは点対称配置となる（図６参照）。
【００２４】
そのため、例えば６個のボックスカルバート１１，１２〜１６を連設するまでもなく、仕舞い角度がβよりも大きくなって基準線Ａが仮想線Ａ5に重なるときは、ボックスカルバート１１のみで入り口側ＩＮ又は出口側ＯＵＴの仕舞いができ、同様に、仮想線Ａ4に重なるときはボックスカルバート１１とボックスカルバート１２の２個で、仮想線Ａ3に重なるときはボックスカルバート１１とボックスカルバート１２，１３の３個で、仮想線Ａ2に重なるときはボックスカルバート１１とボックスカルバート１２，１３，１４の４個で、また、仮想線Ａ1に重なるときはボックスカルバート１１とボックスカルバート１２，１３，１４，１５の５個で、それぞれ入り口側ＩＮ又は出口側ＯＵＴの仕舞いができるというものである。したがって、従来の平面視ひし形の函渠補修用コンクリートブロックではできなかった仕舞い角度の場合でも容易に対処できる。
【実施例２】
【００２５】
図３は平面視矩形のボックスカルバート１０と平面視略ひし形のボックスカルバート２６，２７，２８，２９とを用いて函渠２を構築した例を示す平面図である。ボックスカルバート１０は従前より知られている型のもので、上部ブロックと下部ブロックとに分割されているもの（図２参照）、若しくはボックス型でもよい。このボックスカルバート１０の両側壁１７，１７は互いに平行で共に同じ幅ａを持ち、かつ、平面視矩形の４隅部は直角である。
【００２６】
ボックスカルバート２６はその一方の側壁３０が前記側壁１７の幅ａよりもやや大きめ（例えば前者が１９０１ｃｍであるのに対し２１６３ｃｍとする）の幅ｃで他方は前記側壁１９と同じ幅ｂであり、かつ、長さをそれぞれ異にした前面辺と背面辺とを有する。また、ボックスカルバート１０と隣接するために二つの直角部を結ぶ前面辺３２とこれに相対する斜めの背面辺３３とを有して平面視略ひし形であり、２隅部は直角で他の２隅部は異なっている。このボックスカルバート２６は上部ブロックと下部ブロックとに分割されている。すなわち、このボックスカルバート２６は前記特許文献３に記載された函渠補修用コンクリートブロックと同じような構成である。直角隅部を結ぶ前面辺３２は平面視矩形のボックスカルバート１０の背面辺と接続するためにそれと同じ長さを有するとともに、その斜辺である背面辺はボックスカルバート１２の前面辺と同じ長さである。
【００２７】
ボックスカルバート２７〜２９は、互いに平行な側壁３０，３１の一方が前記側壁１７の幅ａよりもやや大きめ（例えば前者が１９０１ｃｍであるのに対し２１６３ｃｍとする）の幅ｃで他方は前記側壁１９と同じ幅ｂであり、かつ、長さをそれぞれ異にした前面辺と背面辺とを有する。すなわち、平面視略ひし形のボックスカルバート２７〜２９のそれぞれの４隅部の角度は皆異なるものである。この角度は前記実施例１のボックスカルバート１２〜１６のものとも異なる。
【００２８】
ボックスカルバート２６〜２９の側壁３０を幅ｃとする理由は、搬送や搬入の便を考慮して、従前のボックスカルバート１０と大きく変わることがないような寸法形状とすることにあるとともに、実施例１との比較において、仕舞い角度βを得るための連設個数を減らすことにある。このように、側壁２２の幅ｃを固定化したため、函渠２の仕舞い角度βを得るには、ボックスカルバート２６〜２９の合計４個が必要になるというもので、実施例１の場合に比べると、連設個数が２個低減するのである。
【００２９】
したがって、複数のボックスカルバート１０で盛り土中の大半の函渠２を形成した後、入り口側ＩＮ又は出口側ＯＵＴに近い部位になると基準線Ａに平行する端面を形成するために、換言すれば仕舞い角度βを得るために、ボックスカルバート２６を連設し、そのボックスカルバート２６にボックスカルバート２７を連設し、ボックスカルバート２７にボックスカルバート２８を、又、ボックスカルバート２８にボックスカルバート２９を、というように順次、合計４個のボックスカルバート２６〜２９を連設するのである。すなわち、実施例１においては例えば６個のボックスカルバート１１、１２〜１６で入り口側ＩＮ又は出口側ＯＵＴの仕舞いを行ったのであるが、その配置個数を成るべく少なくしようとした結果、例えば４個で足りるようにしたのものである。なお、入り口側ＩＮと出口側ＯＵＴの前記仕舞いは点対称配置となることは前例と同じである。
【００３０】
そのため、例えば４個のボックスカルバート２６〜２９を連設するまでもなく、仕舞い角度がβよりも大きくなって基準線Ａが仮想線Ａ8に重なるときは、ボックスカルバート２６のみで入り口側ＩＮ又は出口側ＯＵＴの仕舞いができ、同様に、仮想線Ａ7に重なるときはボックスカルバート２６とボックスカルバート２７の２個で、仮想線Ａ6に重なるときはボックスカルバート２６〜２８の３個で、それぞれ入り口側ＩＮ又は出口側ＯＵＴの仕舞いができるというものである。したがって、従来の平面視ひし形の函渠補修用コンクリートブロックではできなかった仕舞い角度の場合でも容易に対処できる。
【実施例３】
【００３１】
図４は平面視矩形のボックスカルバート１０の複数個と平面視略ひし形のボックスカルバート３４，３５とを用いて函渠２を構築した例を示す平面図である。ボックスカルバート１０は従前より知られている型のもので、上部ブロックと下部ブロックとに分割されているもの（図２参照）、若しくはボックス型でもよい。このボックスカルバート１０の両側壁１７，１７は互いに平行で共に同じ幅ａを持ち、かつ、平面視矩形の４隅部は直角である。
【００３２】
ここでは、基準線Ａに平行な函渠２の端面を形成するために、換言すれば函渠２の仕舞い角度βを得るために、ボックスカルバート１０に継ぎ足すべき平面視略ひし形のボックスカルバート３４，３５を、前記実施例１，２に記載したようなボックスカルバート１１，１２〜１６、２６〜２９よりも規模を最大限度大きくして、少なくとも２個で間に合わせようとするものである。そのために、ボックスカルバート３４，３５の寸法形状が大きくなるから、搬送や搬入が不便となる不利を伴うので、ボックスカルバートを必ず上部ブロックと下部ブロックに分割するとともに、図５に示すように、下部ブロックは既製の断面Ｌ型コンクリートブロック３４ａ，３４ａを左右に配置して小型化を極力図っている。
【００３３】
上部ブロックとなる平面視略ひし形のボックスカルバート３４，３５の互いに平行な一方の側壁３６の幅ｄは前記ボックスカルバート２６〜２９の側壁の幅ｃの２倍の寸法とし、他方の側壁３７の幅ｅは前記ボックスカルバート１１，１２〜１６、２６〜２９の側壁の幅ｂの２倍としてある。一方、下部ブロックとして、側壁３６の下部には、側壁の幅がｆの断面Ｌ型コンクリートブロック２個で前記ボックスカルバート２６〜２９の側壁の幅ｃと同じ側壁幅になるとともに、４個で側壁３６の幅ｄと同じ側壁幅になるものを用いる。また、側壁３７の下部には、側壁の幅が前記ボックスカルバート１１〜１６，２６〜２９の側壁の幅ｂと同じの断面Ｌ型コンクリートブロック２個で側壁３７の幅ｅと同じになるものを用いてある。
【００３４】
さらに、図５に示すように、左右の断面Ｌ型コンクリートブロック３４ａ，３４ａ間にはコンクリートスラブ版３４ｂを用いることとする。既製ブロックを用いることにより、構築費用の更なるコスト低減を図ることができる。なお、コンクリートスラブ版３４ｂに代わり現場打ちコンクリートにしてもよい。
【００３５】
次に、前記した実施例１，２における平面視略ひし形のボックスカルバート１１〜１６、２６〜２９の作成用の型枠につき説明する。すなわち、図７に示すように、従前の平面視矩形のボックスカルバート１０の成形用型枠をそのまま利用する。すなわち、例えば上部ブロックの成形用の型枠４０は平面視矩形であるのは勿論のこと、正面視及び背面視が門型で、両側面視が矩形の容器状体である。なお、図では概略構成のみを示すものであり、補強部材等や、脱型のための分解可能な構成も省略している。また、下部ブロックの成形用型枠については、型枠４０とは側壁形成部分の高さが異なるだけでその他はほぼ同じである。
【００３６】
この型枠４０内に、少なくとも１枚又は２枚の仕切り板５０，５１…  を天部の開口部４１から内部へ挿入して位置ずれをしないように固定し、開口部４１から生コンクリートを注入して養生しかつ固化させるものである。仕切り板５０…は平面視略ひし形のボックスカルバート１１〜１６、２６〜２９のそれぞれの前面と背面に応じてそれらの形状と同じに作成し準備する。
【００３７】
したがって、平面視略ひし形のボックスカルバート１１，２６を作成するときは、図８（ａ）に示すように、例えばボックスカルバート１１又はボックスカルバート２６の背面と同じ形状の仕切り板５０の１枚のみを型枠４０の開口部４１から内部へ挿入して位置ずれが生じないように固定し、開口部４１から生コンクリートを注入して養生しかつ固化させるものである。したがって、型枠４０内には非成形用空間部４２が形成されるのである。
【００３８】
また、平面視略ひし形のボックスカルバート１２〜１６，２７〜２９のいずれか一つを作成するときは、図８（ｂ）に示すように、例えばボックスカルバート１２の背面と同じ形状の仕切り板５１と、ボックスカルバート１２の前面と同じ形状の仕切り板５２の２枚を、型枠４０の開口部４１から内部へ挿入し、前面辺側と背面辺側にそれぞれ離間して位置ずれを生じないように固定し、開口部４１から生コンクリートを注入して養生しかつ固化させるものである。したがって、型枠４０内には非成形用空間部４３，４４が形成されるのである。かくして、仕切り板５０…の入れ替えで前記ボックスカルバート１２〜１６，２７〜２９を軽便に作成できる。
【００３９】
なお、実施例３における平面視略ひし形のボックスカルバート３４，３５の作成用の型枠については、ボックスカルバート３４，３５の規模が大きくて従前の平面視矩形のボックスカルバート１０の成形用型枠をそのまま利用することができないから、イニシャルコストは高騰するが、成形用型枠４０に準じて前面と背面の形成用壁の長さは前例の型枠４０と同じで、側壁形成用壁の幅寸法が大きい型枠４５を作成し、ボックスカルバート３４の背面と同じ形状の仕切り板５３を、又は、ボックスカルバート３５の前面と同じ形状の仕切り板５４と背面と同じ形状の仕切り板５５の２枚を、開口部４１から型枠内に挿入し、前面辺側又は前面辺側と背面辺側にそれぞれ離間して型くずれを生じないように固定し、開口部４１から生コンクリートを注入して養生しかつ固化させるものである。なお、このような場合には専用の成形用型枠を作成してもよい。
【図面の簡単な説明】
【００４０】
【図１】本発明にかかる函渠の実施例１を表す平面図である。
【図２】図１のＸ−Ｘ断面図である。
【図３】本発明にかかる函渠の実施例２を表す平面図である。
【図４】本発明にかかる函渠の実施例３を表す平面図である。
【図５】図４のＹ−Ｙ断面図である。
【図６】本発明にかかる函渠の実施例１の変形例を示す平面図である。
【図７】本発明に係る平面視略ひし形のボックスカルバートの成形をする成形用型枠の概略的形状を示す斜視図である。
【図８】成形用型枠の概略的形状を示す平面図である。
【図９】従来の平面視ひし形のボックスカルバートによる函渠の一例を示す平面図である。
【図１０】図９のＺ−Ｚ端面図である。
【図１１】従前の平面視矩形のボックスカルバートによる函渠の他例を示す平面図である。
【図１２】図１１のＶ−Ｖ断面図である。
【符号の説明】
【００４１】
Ａ…基準線
Ｂ…函渠構築ライン
１０…平面視矩形のボックスカルバート
１１〜１６、２６〜２９、３４，３５…平面視略ひし形のボックスカルバート
１１ａ…上部ブロック
１１ｂ…下部ブロック
１７，１８，２２，２３，３０，３１…側壁
２０，３２…前面辺
２１，３３…背面辺
３４ａ…断面Ｌ型コンクリートブロック
３４ｂ…コンクリートスラブ版
【図１】
2006009245.tif 000003
【図２】
2006009245.tif 000004
【図３】
2006009245.tif 000005
【図４】
2006009245.tif 000006
【図５】
2006009245.tif 000007
【図６】
2006009245.tif 000008
【図７】
2006009245.tif 000009
【図８】
2006009245.tif 000010
【図９】
2006009245.tif 000011
【図１０】
2006009245.tif 000012
【図１１】
2006009245.tif 000013
【図１２】
2006009245.tif 000014